(57)【要約】【課題】光束を遮光することに伴う温度上昇の抑制及び迷光反射方向制御できる調光装置を備えたプロジェクターを提供する。【解決手段】プロジェクター１は、光源３１１から射出された光束の通過光量を調整する調光装置５を有する。調光装置５は、光束の一部を遮光する遮光部材８，９を直接的に保持し、遮光部材８，９の位置を変えるために回転する位置変更部５３，５４を備える。遮光部材８，９入射側に複数の放熱のための突起部８２，９２を設置する。【選択図】図４
2012098325.tif 000002
【特許請求の範囲】
【請求項１】
光源から射出された光束の通過光量を調整する調光装置、前記調光装置を通過した光束を画像情報に応じて変調して画像光を形成する電気光学装置、および前記画像光を投写する投写光学装置を有するプロジェクターであって、
前記調光装置は、
前記光束の一部を遮光する遮光部材と、
前記遮光部材を保持し、前記遮光部材の位置を変えるために移動または回転する位置変更部を備え、
前記光束を遮光する遮光本体部に対して複数の突起部が配置されていることを特徴とするプロジェクター。
【請求項２】
請求項１に記載のプロジェクターであって、
前記複数の突起部は、前記遮光本体部の前記光束が入射する側の面に配置され、前記遮光本体部に対して傾斜した板状体であることを特徴とするプロジェクター。
【請求項３】
請求項２に記載のプロジェクターであって、
前記複数の突起部のうち少なくとも１つの突起部の傾斜角度は、他の突起部の傾斜角度と異なることを特徴とするプロジェクター。
【請求項４】
請求項２または請求項３に記載のプロジェクターであって、
前記遮光部材は互いに離間して配置された一対の遮光本体部よりなり、
前記一対の遮光本体部の一方の遮光本体部に配置された突起部と、他方の遮光本体部に配置された突起部とは、前記遮光本体部側から互いの間隔が広がるように突出していることを特徴とするプロジェクター。
【請求項５】
請求項２ないし請求項４のいずれか一項に記載のプロジェクターであって、
前記突起部の前記光束の入射側の面は凹凸を備えることを特徴とするプロジェクター。
【発明の詳細な説明】
【技術分野】
【０００１】
本発明は、画像光を投写するプロジェクターに関する。
【背景技術】
【０００２】
従来、光源から射出された光束を画像情報に応じて変調して画像光を形成し、その画像光をスクリーン等に投写するプロジェクターが知られている。プロジェクターは、企業内でのプレゼンテーションや、家庭内での映画鑑賞等の種々の用途に用いられている。そして、画像のコントラストを向上させるために、調光装置を用いて光源から射出された光束の光量を調整する技術が提案されている（例えば、特許文献１参照）。
【０００３】
特許文献１に記載の調光装置は、矩形筒状の固定部材、固定部材に取り付けられた支持軸（回動軸）、光源から射出された光束を部分的に遮蔽する遮蔽部材、駆動ギア、ピニオンを有するモーター等を備え、光学部品用筐体内に配置される。
遮蔽部材は、一方の端部に駆動ギアが取り付けられ、この駆動ギアは、ピニオンに噛合され、支持軸に回転可能に支持されている。遮蔽部材の他方の端部は、固定部材に回転可能に支持されている。そして、調光装置は、モーターが駆動されると、駆動ギアが回転されて遮蔽部材の位置が変更され、遮蔽部材の位置に応じて光源からの光束を部分的に遮蔽して光量を調整する。
【先行技術文献】
【特許文献】
【０００４】
【特許文献１】特開２００７−７１９１３号公報
【発明の概要】
【発明が解決しようとする課題】
【０００５】
遮蔽部材が光束を遮光することに伴って発熱した際に、遮蔽部材が熱により歪んでしまう可能性がある。また、遮蔽部材の熱が遮蔽部材近傍に配置されている駆動ギアやモーター等に伝導することが考えられる。そうすると、駆動ギアが変形したり、モーターが適正な性能を発揮することができなくなったりして、遮蔽部材が精度良く位置変更されず、調光装置は適正に光量を調整することができなくなってしまう。また、遮蔽部材が光束を遮光することにより、遮光部材で反射した光が迷光として発生してしまう。この反射による迷光が光学部品等に悪影響を与える可能性がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束の通過光量を調整する調光装置、前記調光装置を通過した光束を画像情報に応じて変調して画像光を形成する電気光学装置、および前記画像光を投写する投写光学装置を有するプロジェクターであって、前記調光装置は、前記光束の一部を遮光する遮光部材と、前記遮光部材を保持し、前記遮光部材の位置を変えるために移動または回転する位置変更部を備え、前記光束を遮光する遮光本体部に対して複数の突起部が配置されていることを特徴とする。
【０００８】
本適用例によれば、プロジェクターは、調光装置を備え、調光装置は、遮光部材が光束の一部を遮光することによって光量を調整する。そして、遮光部材は複数の突起部を有している。これによって遮光部材のみの場合に比べて、熱による遮光部材等の影響を抑えることが可能となる。
【０００９】
［適用例２］上記適用例に係るプロジェクターにおいて、前記複数の突起部は、前記遮光本体部の前記光束が入射する側の面に配置され、前記遮光本体部に対して傾斜した板状体であることを特徴とする。
【００１０】
本適用例によれば、複数の突起部が、遮光本体部の光束が入射する側の面に、遮光本体部に対して傾斜した板状態で配置されているため、入射した光束は遮光本体部に対して傾斜した板状体である複数の突起部に当たる。そのため、単位面積当たりに入射する光束を減らすことができ、熱による遮光部材等への影響を抑えることが可能となる。
さらに、入射した光束のうち複数の突起部によって反射された光束が、迷光を入射したくない部材へ入射することを抑制することが可能となる。
【００１１】
［適用例３］上記適用例に係るプロジェクターにおいて、前記複数の突起部のうち少なくとも１つの突起部の傾斜角度は、他の突起部の傾斜角度と異なることを特徴とする。
【００１２】
本適用例によれば、複数の突起部に傾斜角度の異なる突起があり、この傾斜角度の異なる突起により反射された光束は、他の突起により反射された光束とは方向が異なるので、迷光を分散させることが出来る。これによって、遮光部材近傍の部品等への影響を分散させることが出来る。
【００１３】
［適用例４］上記適用例に係るプロジェクターにおいて、前記遮光部材は互いに離間して配置された一対の遮光本体部よりなり、前記一対の遮光本体部の一方の遮光本体部に配置された突起部と、他方の遮光本体部に配置された突起部とは、前記遮光本体部側から互いの間隔が広がるように突出していることを特徴とする。
【００１４】
本適用例によれば、一対の遮光本体部の間を広くしていった時にも、遮光本体部に光束が入射されることがないため、この時にも熱による遮光部材等への影響を抑制することが可能となる。
【００１５】
［適用例５］上記適用例に係るプロジェクターにおいて、前記突起部の前記光束の入射側の面は凹凸を備えることを特徴とする。
【００１６】
本適用例によれば、突起部の光束の入射面に向いた面に凹凸が設けられているため、突起により反射される光をより分散することができるとともに、突起部の表面積を大きくすることにより、温度上昇を抑制することが可能となる。
【図面の簡単な説明】
【００１７】
【図１】第１実施形態のプロジェクターの概略構成を示す模式図。
【図２】第１実施形態の光学ユニットの斜視図。
【図３】第１実施形態の調光装置の斜視図。
【図４】第１実施形態の遮光部材の側面図。
【発明を実施するための形態】
【００１８】
（第１実施形態）
以下、第１実施形態に係るプロジェクターについて、図面を参照して説明する。
本実施形態のプロジェクターは、光源から射出された光束を画像情報に応じて変調して画像光を形成し、その画像光をスクリーン等に拡大投写する。
【００１９】
図１は、本実施形態のプロジェクターの概略構成を示す模式図である。
図１に示すように、プロジェクター１は、外装筐体２、制御部（図示省略）、光源３１１を有する光学ユニット３、および光源３１１や制御部に電力を供給する電源装置４等を備えている。なお、具体的な図示は省略したが、外装筐体２内には、プロジェクター１内部を冷却する冷却ファン等が配置されるものとする。
【００２０】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２１】
光学ユニット３は、制御部による制御の下、光源３１１から射出された光束を光学的に処理し、画像情報に応じた画像光を形成して投写する。
図１に示すように、光学ユニット３は、光源装置３１、照明光学装置３２、色分離光学装置３３、リレー光学装置３４、電気光学装置３５、投写光学装置としての投写レンズ３６、およびこれら各光学部品（符号３１〜３６）を所定位置に配置する光学部品用筐体６を備える。
【００２２】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、照明光学装置３２に向けて射出する。
【００２３】
照明光学装置３２は、第１レンズアレイ３２１、第２レンズアレイ３２２、偏光変換素子３２３、重畳レンズ３２４および調光装置５を備える。
第１レンズアレイ３２１は、光源３１１から射出された光束の光軸Ｌ方向から見て略矩形の輪郭を有する小レンズがマトリックス状に配列された構成を有しており、光源装置３１から射出された光束を複数の部分光束に分割する。
第２レンズアレイ３２２は、第１レンズアレイ３２１と略同様の構成を有しており、重畳レンズ３２４とともに、部分光束を後述する液晶パネル３５２の表面に略重畳させる。
偏光変換素子３２３は、第２レンズアレイ３２２から射出されたランダム偏光光を液晶パネル３５２で利用可能な略１種類の偏光光に揃える機能を有する。
【００２４】
調光装置５は、光源３１１から射出された光束の一部を遮光する遮光部材８，９（図２参照）を備え、光束の通過光量を調整する機能を有している。
調光装置５は、遮光部材８，９が第１レンズアレイ３２１と第２レンズアレイ３２２との間に配設され、制御部による制御のもと、この遮光部材８，９の位置が変更される。そして、調光装置５は、光源３１１から射出され、第１レンズアレイ３２１を透過した光束の一部を遮光部材８，９にて遮光して第２レンズアレイ３２２に入射する光量、ひいては、電気光学装置３５に入射する光量を調整し、投写画像のコントラスト向上に寄与する。なお、調光装置５の構成については、後で詳細に説明する。
【００２５】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００２６】
リレー光学装置３４は、入射側レンズ３４１、リレーレンズ３４３、および反射ミラー３４２，３４４を備え、第２のダイクロイックミラー３３２を透過したＲ光をＲ光用の液晶パネル３５２Ｒまで導く機能を有する。なお、光学ユニット３は、リレー光学装置３４がＲ光を導く構成としているが、これに限らず、例えば、Ｂ光を導く構成としてもよい。
【００２７】
電気光学装置３５は、入射側偏光板３５１、光変調装置としての液晶パネル３５２、射出側偏光板３５３、色合成光学装置としてのクロスダイクロイックプリズム３５４を備える。入射側偏光板３５１、液晶パネル３５２、および射出側偏光板３５３は、色光ごとに設けられている。電気光学装置３５は、色分離光学装置３３によって各色光に分離された光束を画像情報に応じて変調して合成し画像光を形成する。
【００２８】
投写レンズ３６は、複数のレンズを組み合わせた組レンズとして構成され、電気光学装置３５にて形成された画像光をスクリーン上に拡大投写する。
【００２９】
このように、調光装置５を通過し、第２レンズアレイ３２２に入射した光束は、電気光学装置３５によってその光量に応じた光量の画像光が形成された後、投写レンズ３６によって投写される。
【００３０】
図２は、光学ユニット３の斜視図である。具体的に図２は、画像光が投写される方向とは反対方向から見た光学ユニット３の図であり、調光装置５を分解した状態を示す図である。
光学部品用筐体６は、図２に示すように、一方の端部に光源装置３１が着脱可能に配置され、他方の端部近傍に投写レンズ３６が配置される。なお、以下では、説明の便宜上、光源装置３１から光束が射出される方向を左方向（＋Ｚ方向）、Ｚ方向に直交し、画像光が投写される方向を前方向（＋Ｘ方向）、Ｚ方向およびＸ方向に直交し、図２の図面視における上を上方向（＋Ｙ方向）として記載する。
【００３１】
図２に示すように、光学部品用筐体６は、合成樹脂製でＺ方向に長く延出する箱状に形成されている。光学部品用筐体６は、上方向（＋Ｙ方向）に開口部を有し、前述した光学部品を収納する下部筐体６１と、この開口部を閉塞する上部筐体６２とを備えて構成されている。
【００３２】
下部筐体６１は、ＢＭＣ（Bulk Molding Compound）等の高耐熱材料で形成され、外装筐体２の底面に沿って配置される底面部と、底面部の端縁から起立する側面部６１１とを有している。そして、下部筐体６１は、これらにより、断面視略Ｕ字状に形成されている。下部筐体６１は、側面部６１１の内壁面に複数の溝が設けられており、第１レンズアレイ３２１等の各光学部品は、側端部がこの溝に挿入されて配置される。
【００３３】
図２に示すように、後側（−Ｘ側）の側面部６１１には、開口部６１１１が形成され、開口部６１１１の近傍には、複数のネジ穴６１１２が設けられている。調光装置５は、遮光部材８，９がこの開口部６１１１から挿入されて第１レンズアレイ３２１と第２レンズアレイ３２２との間に配置され、ネジ穴６１１２にネジＳＣが挿通されて下部筐体６１に取り付けられる。また、下部筐体６１の外周縁部には、上部筐体６２を取り付けるためのネジ穴が複数設けられている。
【００３４】
上部筐体６２は、ガラス繊維入りのＰＢＴ（PolyButylene Terephthalate）等で形成され、下部筐体６１にネジ固定される。
このように、光学部品用筐体６は、光軸Ｌ上の所定位置に光学部品を配置する。
【００３５】
ここで、調光装置５について詳細に説明する。
図３は、調光装置５を示す斜視図であり、下部筐体６１に取り付けられ、遮光部材８，９が最も多くの光束を遮光するように位置付けられた状態の調光装置５を示す図である。
調光装置５は、ベース部７、ステッピングモーター（以下「モーター」と略す）５１、第１ギア５２、第２ギア５３、第３ギア５４、および遮光部材８，９を備えている。
【００３６】
ベース部７は、図２、図３に示すように、板金で形成されたベース本体７１、およびベース本体７１に取り付けられた支持軸７２，７３，７４を有している。そして、ベース部７は、図２に示すように、ベース本体７１の後側（−Ｘ側）の面７１Ａにモーター５１を支持し、図３に示すように、ベース本体７１の前側（＋Ｘ側）の面７１Ｂに第１ギア５２、第２ギア５３、および第３ギア５４を支持するように構成されている。
【００３７】
ベース本体７１は、平面視矩形状の第１保持部７１１と、第１保持部７１１の＋Ｚ側端部の略中央から延出する第２保持部７１２とを有している。
具体的に、第１保持部７１１は、図２、図３に示すように、上下の端部および左右の端部の一部が面７１Ｂ側に屈曲され、下側（−Ｙ側）、上側（＋Ｙ側）に図示しない軸取付孔が形成されている。第１保持部７１１の上下左右の端部が屈曲されている部位は、調光装置５が下部筐体６１に取り付けられた際に、ベース本体７１と下部筐体６１とで第２ギア５３および第３ギア５４を略包囲するように形成されており、第２ギア５３、第３ギア５４等に塵埃が付着することを抑制するように構成されている。
【００３８】
第２保持部７１２は、図３に示すように、中央部および＋Ｚ側に丸孔７１２１，７１２２が形成されている。
調光装置５は、丸孔７１２１、７１２２にネジが挿通され、図２に示すように、第２保持部７１２が左方（＋Ｚ方向）に位置し、ベース本体７１の面７１Ａが後方（−Ｘ方向）を向くように下部筐体６１の側面部６１１に取り付けられる。
【００３９】
支持軸７２，７３，７４は、第１ギア５２、第２ギア５３、第３ギア５４をそれぞれ回転可能に支持する部材である。
支持軸７２，７３，７４は、図３に示すように、ベース本体７１の面７１Ｂ側に取り付けられる。
【００４０】
モーター５１は、第１ギア５２を回転させる駆動力を発生するものであり、制御部により制御される。
モーター５１は、図２、図３に示すように、支持軸であるスピンドルを有するモーター本体５１１と、このスピンドルの先端に設けられたピニオン５１２とを備えている。モーター５１は、図２に示すように、ネジによってベース本体７１の面７１Ａに取り付けられる。具体的に、モーター５１は、モーター本体５１１がベース本体７１の面７１Ａ側（−Ｘ側）に配置され、丸孔７１２１からピニオン５１２が前方（＋Ｘ方向）に飛び出すように取り付けられる。
【００４１】
第１ギア５２は、ピニオン５１２に噛合され、モーター５１で発生した駆動力を第２ギア５３に伝達する。
具体的に、第１ギア５２は、合成樹脂製であり、図３に示すように、同軸上に積層されて形成された大ギア部５２１および小ギア部５２２を備えている。大ギア部５２１の径寸法は、ピニオン５１２および小ギア部５２２の径寸法より大きく設定されている。また、第１ギア５２には、回転中心軸を中心軸とする中心孔が形成されており、この中心孔は、支持軸７２の外径寸法より僅かに大きな内径寸法に設定されている。
第１ギア５２は、中心孔に支持軸７２が挿入され、大ギア部５２１の外周部がピニオン５１２に噛合されてベース本体７１の面７１Ｂ側に配置される。そして、第１ギア５２は、ピニオン５１２の回転を減速して第２ギア５３に伝達する。
【００４２】
第２ギア５３および第３ギア５４は、合成樹脂製であり、遮光部材８，９がそれぞれに取り付けられ、第１ギア５２の回転が伝達されて遮光部材８，９の位置を変える。具体的に、第２ギア５３は、第１ギア５２に噛合され、第３ギア５４は、第２ギア５３に噛合される。そして、第２ギア５３および第３ギア５４は、第１ギア５２を介して伝達されたモーター５１の駆動力によって互いに逆方向に回転する。第２ギア５３および第３ギア５４は、遮光部材８，９の位置を変えるために回転する位置変更部に相当する。
【００４３】
第２ギア５３には、回転中心軸を中心軸とする中心孔５３１が形成されており、この中心孔５３１の内径寸法は、支持軸７３の外径寸法より僅かに大きく設定されている。第２ギア５３は、図３に示すように、中心孔５３１に支持軸７３が挿入されてベース本体７１に組み込まれ、支持軸７３の軸心を中心に回転する。第１ギア５２および第３ギア５４に噛合される第２ギア５３の歯形が形成されている範囲は、遮光部材８の位置が変更される範囲に対応して設定されている。
第２ギア５３は、前側（＋Ｘ側）の面が中心孔５３１近傍から外周に向かって段差となる面５３Ａ，５３Ｂ，５３Ｃを有して形成され、面５３Ａが面５３Ｂより前側（＋Ｘ側）に突出し、面５３Ｂが面５３Ｃより突出するように形成されている。
【００４４】
面５３Ｃに形成された減光部取付部５３３は、遮光部材８を取り付けるための部位である。減光部取付部５３３の−Ｚ側の面には、ネジ穴（図示せず）が設けられており、遮光部材８は、このネジ穴にネジが挿通されて第２ギア５３に取り付けられる。
【００４５】
第３ギア５４は、図３に示すように、平面視半円形状を有しており、第２ギア５３に噛合される歯形がこの半円状の外周に形成されている。第３ギア５４には、回転中心軸を中心軸とする中心孔５４１が形成されており、この中心孔５４１の内径寸法は、支持軸７４の外径寸法より僅かに大きく設定されている。第３ギア５４は、中心孔５４１に支持軸７４が挿入されてベース本体７１に組み込まれ、支持軸７４の軸心を中心に回転する。歯形が形成されている範囲は、第２ギア５３と同様に、遮光部材９の位置が変更される範囲に対応して設定されている。調光装置５は、第３ギア５４が半円形状に形成されることで、円形状に形成される場合に比べて、小型化が図られている。
【００４６】
第３ギア５４は、図３に示すように、前側（＋Ｘ側）の面が中心孔５４１近傍から外周に向かって段差となる面５４Ａ，５４Ｂ，５４Ｃを有して形成され、面５４Ａが面５４Ｂより前側（＋Ｘ側）に突出し、面５４Ｂが面５４Ｃより突出するように形成されている。
また、第３ギア５４には、遮光部材９を取り付けるための減光部取付部５４２が形成されている。減光部取付部５４２は、第３ギア５４の−Ｚ側の端部に面５４Ｃより突出した部位を有して形成されている。減光部取付部５４２の−Ｚ側の面には、ネジ穴（図示せず）が設けられており、遮光部材９は、このネジ穴にネジが挿通されて第３ギア５４に取り付けられる。
【００４７】
図３に示すように、第３ギア５４が支持軸７４に挿入された後、第２ギア５３が支持軸７３に挿入されると、第３ギア５４は、周縁部の一部が第２ギア５３とベース本体７１とで狭装されるように配置される。つまり、調光装置５が下部筐体６１に取り付けられていない状態において、第２ギア５３が所定の回転範囲でベース本体７１から脱落しないようになっているので、第３ギア５４も第２ギア５３の所定の回転範囲でベース本体７１から脱落しないようになっている。
【００４８】
調光装置５が下部筐体６１に取り付けられると、第２ギア５３および第３ギア５４は、面５３Ｂ，５４Ｂがそれぞれ側面部６１１と僅かな隙間を有して配置される。つまり、第２ギア５３および第３ギア５４は、支持軸７３，７４の軸心に対して略直交する方向において、ベース部７と下部筐体６１とでそれぞれ狭装される。そして、第２ギア５３および第３ギア５４は、安定して回転することが可能となる。
【００４９】
遮光部材８，９は、図３に示すように、光軸Ｌを通るＸＺ平面に対して互いに略対称となるように形成されており、第１レンズアレイ３２１および第２レンズアレイ３２２の間に、遮光部材８が下側（−Ｙ側）、遮光部材９が上側（＋Ｙ側）に位置するように配置される。遮光部材８，９は、第２ギア５３、第３ギア５４の回転に伴って、遮光部材８，９の互いに対向する側の端部が、左側（−Ｚ側）に移動するように回動して互いに間隔が広がり、第１レンズアレイ３２１を透過した光束が射出される領域（以下「透過領域」という）内に、配置される部分が変わる。そして、遮光部材８，９は、透過領域内に配置された部分に応じた量の光束を反射する。つまり、遮光部材８，９は、光束を反射することによって、光束を遮光する。
【００５０】
遮光部材８，９は、図２、図３に示すように、最も多くの光束を遮光するように位置付けられた状態において、互いに最も近接するように配置される。
【００５１】
ここで、調光装置５の動作について説明する。
遮光部材８，９は、モーター５１が駆動されると、第１ギア５２を介して第２ギア５３および第３ギア５４が回転することよって互いに近接離間するように回動され、透過領域内に配置される部分が変わる。そして、遮光部材８，９は、前述したように、透過領域内に配置される部分に応じた量の光束を遮光する。遮光されずに遮光部材８と遮光部材９との間を通過した光束は、第２レンズアレイ３２２に射出される。
【００５２】
図４は遮光部材を示す側面図であり、遮光部材８，９を−Ｘ側から見た図である。
図４に示すように、遮光部材８，９は、互いに離間して配置された一対の遮光本体部８１、９１と、遮光本体部８１，９１の一方の面に複数並んで配置された突起部８２、９２と、を有している。
突起部８２、９２は、遮光本体部８１，９１の光束が入射する側の面８１１，９１１に配置されており、遮光本体部８１，９１に対して傾斜した板状体である。板状体の形状は突起部８２、９２が並んでいる方向と直交する方向に長手方向を有し、長手方向の寸法は遮光本体部の寸法と同寸法に形成されている。
突起部８２と、突起部９２とは、遮光本体部８１，９１の面８１１，９１１から遠ざかるにつれて、互いの距離が広くなる方向に傾斜して設けられている。
【００５３】
さらに、複数並んで設けられた突起部８２または突起部９２において、突起部８２を例に説明すると、１つの突起部８２ａの遮光本体部８１側（＋Ｚ側）の端部と、隣の突起部８２ｂの遮光本体部８１とは反対側（−Ｚ側）の端部とは、光束の入射側から見て重なるように形成されていることが好ましい。
このように構成すると、入射光束がほぼ遮光本体部８１，９１に入射されることがないため、温度の上昇を抑制する、より大きな効果が得られる。
【００５４】
（第２実施形態）
本実施形態のプロジェクターは、遮光本体部に対する複数の突起部８２、９２のうち、他の突起部とは取り付け角度（傾斜角度）の異なる突起部を少なくとも一つ備えている。取り付け角度が異なる突起部を備えることによって、突起部により反射された光束が一方向に反射するだけでなく、他の方向に反射される突起部も備えることになり、反射光を分散させることができる。
【００５５】
遮光本体部に設けられている突起部の傾斜する方向は、どちらの方向に傾斜していても構わないが、図４のように遮光本体部８１，９１に設けられた突起部８２，９２の互いの間隔が遮光本体部８１，９１から遠ざかるにつれて広くなる方向に傾斜させると、一対の遮光部材８１，９１が回動して、遮光部材８１，９１間の間隔が広くなった時にも、入射光束が突起部８２，９２よりも遮光本体部８１，９１に多く当たるようになることがない。
【００５６】
（第３実施形態）
本実施形態のプロジェクターは、遮光部本体に設置されている突起部の光束が入射する側の面に縦横の溝を設けている。これによって、突起部によって反射される光の方向を分散することができるとともに、突起部自身の表面積を広げることによってさらに温度上昇を抑制させることが出来る。
【００５７】
本実施形態では、縦横の溝形状としたが、上記のように突起部８２、９２から反射される光の方向を分散できるとともに、遮光部材（突起部）の表面積を大きくする構成であれば、縦横の溝でなくても凹凸形状が形成されていれば良い。さらに、光束の入射する面だけでなく、反対側の面にも縦横の溝等の凹凸を構成するとさらに温度上昇を抑制することができる。
【符号の説明】
【００５８】
１…プロジェクター、２…外装筐体、３…光学ユニット、４…電源装置、５…調光装置、６…光学部品用筐体、７…ベース部、８，９…遮光部材、３１…光源装置、３２…照明光学装置、３３…色分離光学装置、３４…リレー光学装置、３５…電気光学装置、３６…投写レンズ、５１…モーター、５２…第１ギア、５３…第２ギア（位置変更部）、５４…第３ギア（位置変更部）、３５４…クロスダイクロイックプリズム（色合成光学装置）。
【図１】
2012098325.tif 000003
【図２】
2012098325.tif 000004
【図３】
2012098325.tif 000005
【図４】
2012098325.tif 000006